(57)【特許請求の範囲】
【請求項１】
複数の異なる種別の電力設備に関し、屋外に設置された前記電力設備の状態、および位置を特定する情報の入力を受け付ける入力部と、
前記複数の異なる種別の前記電力設備に関する情報を前記種別ごとに処理することで、前記入力部に対して入力された状態および位置を特定する情報と、地図上の予め定められた区画の情報とに基づいて統計処理を行うことにより、前記種別ごとに、前記区画内の前記電力設備の平均故障年数を算出する算出部と、
前記種別ごとに、前記算出部により算出された平均故障年数を地図に重畳させて表示部に表示させる表示制御部と、
を備え、
前記入力部により前記入力が受け付けられる前記電力設備の状態を特定する情報は、屋外に設置された前記電力設備が撤去された状態で、撤去された前記電力設備を検査して得られた情報である、
設備状態解析装置。
【請求項２】
複数の異なる種別の電力設備に関し、屋外に設置された前記電力設備の状態、および位置を特定する情報の入力を受け付ける入力部と、
前記複数の異なる種別の前記電力設備に関する情報を前記種別ごとに処理することで、前記入力部に対して入力された状態および位置を特定する情報と、地図上の予め定められた区画の情報とに基づいて統計処理を行うことにより、前記種別ごとに、前記区画内の前記電力設備の平均故障年数を算出する算出部と、
前記種別ごとに、前記算出部により算出された平均故障年数を地図に重畳させて表示部に表示させる表示制御部と、
を備え、
前記入力部により前記入力が受け付けられる前記電力設備の状態を特定する情報は、前記電力設備において故障するまでの期間について個体差が小さい前記電力設備の一部の箇所の状態を特定する情報である、
設備状態解析装置。
【請求項３】
複数の異なる種別の電力設備に関し、屋外に設置された前記電力設備の状態、および位置を特定する情報の入力を受け付ける入力部と、
前記複数の異なる種別の前記電力設備に関する情報を前記種別ごとに処理することで、前記入力部に対して入力された状態および位置を特定する情報と、地図上の予め定められた区画の情報とに基づいて統計処理を行うことにより、前記種別ごとに、前記区画内の前記電力設備の平均故障年数を算出する算出部と、
前記種別ごとに、前記算出部により算出された平均故障年数を地図に重畳させて表示部に表示させる表示制御部と、
を備え、
前記入力部により前記入力が受け付けられる前記電力設備の状態を特定する情報は、前記電力設備に対して故障判定用に意図的に付加された部位の状態を特定する情報である、
設備状態解析装置。
【請求項４】
前記入力部は、
前記電力設備の画像を解析して前記電力設備の状態の情報を取得する画像解析部を備える、
請求項１から請求項３のいずれか１項に記載の設備状態解析装置。
【請求項５】
前記電力設備の残寿命を算出し、算出した残寿命に基づいて報知を行わせる残寿命算出部を備える、
請求項１から請求項３のいずれか１項に記載の設備状態解析装置。
【請求項６】
前記入力部により受け付けられた情報に基づいて区画を生成する区画生成部を備える、
請求項１から請求項３のいずれか１項に記載の設備状態解析装置。
【請求項７】
前記電力設備の位置を特定する情報は、前記電力設備のＩＤであり、
前記入力部は、前記電力設備のＩＤと位置との対応情報に基づいて、前記電力設備のＩＤに対応する位置の情報を取得する、
請求項１から請求項３のいずれか１項に記載の設備状態解析装置。
【請求項８】
前記表示部は、端末装置の表示部である、
請求項１から請求項３のいずれか１項に記載の設備状態解析装置。
【請求項９】
前記表示制御部は、前記平均故障年数を所定の数の範囲に分類して前記地図に重畳させて前記表示部に表示させる、
請求項１から請求項３のいずれか１項に記載の設備状態解析装置。
【請求項１０】
前記表示制御部は、前記区画より細かい領域ごとに前記平均故障年数を前記地図に重畳させて前記表示部に表示させる、
請求項１から請求項３のいずれか１項に記載の設備状態解析装置。
【請求項１１】
前記表示制御部は、海岸からの距離を前記地図に重畳させて前記表示部に表示させる、
請求項１から請求項３のいずれか１項に記載の設備状態解析装置。
【請求項１２】
前記入力部は、前記電力設備の複数の種別のうち特定の種別の選択を受け付ける、
請求項１から請求項３のいずれか１項に記載の設備状態解析装置。
【請求項１３】
複数の異なる種別の電力設備に関し、屋外に設置された前記電力設備の状態、および位置を特定する情報の入力を受け付けるステップと、
前記複数の異なる種別の前記電力設備に関する情報を前記種別ごとに処理することで、前記受け付けられた状態および位置を特定する情報と、地図上の予め定められた区画の情報とに基づいて統計処理を行うことにより、前記種別ごとに、前記区画内の前記電力設備の平均故障年数を算出するステップと、
前記種別ごとに、前記算出された平均故障年数を地図に重畳させて表示部に表示させるステップと、
を有する設備状態解析方法であって、
前記入力が受け付けられる前記電力設備の状態を特定する情報は、屋外に設置された前記電力設備が撤去された状態で、撤去された前記電力設備を検査して得られた情報である、
設備状態解析方法。
【請求項１４】
複数の異なる種別の電力設備に関し、屋外に設置された前記電力設備の状態、および位置を特定する情報の入力を受け付けるステップと、
前記複数の異なる種別の前記電力設備に関する情報を前記種別ごとに処理することで、前記受け付けられた状態および位置を特定する情報と、地図上の予め定められた区画の情報とに基づいて統計処理を行うことにより、前記種別ごとに、前記区画内の前記電力設備の平均故障年数を算出するステップと、
前記種別ごとに、前記算出された平均故障年数を地図に重畳させて表示部に表示させるステップと、
を有する設備状態解析方法であって、
前記入力が受け付けられる前記電力設備の状態を特定する情報は、前記電力設備において故障するまでの期間について個体差が小さい前記電力設備の一部の箇所の状態を特定する情報である、
設備状態解析方法。
【請求項１５】
複数の異なる種別の電力設備に関し、屋外に設置された前記電力設備の状態、および位置を特定する情報の入力を受け付けるステップと、
前記複数の異なる種別の前記電力設備に関する情報を前記種別ごとに処理することで、前記受け付けられた状態および位置を特定する情報と、地図上の予め定められた区画の情報とに基づいて統計処理を行うことにより、前記種別ごとに、前記区画内の前記電力設備の平均故障年数を算出するステップと、
前記種別ごとに、前記算出された平均故障年数を地図に重畳させて表示部に表示させるステップと、
を有する設備状態解析方法であって、
前記入力が受け付けられる前記電力設備の状態を特定する情報は、前記電力設備に対して故障判定用に意図的に付加された部位の状態を特定する情報である、
設備状態解析方法。
【請求項１６】
複数の異なる種別の電力設備に関し、屋外に設置された前記電力設備の状態、および位置を特定する情報の入力を受け付けるステップと、
前記複数の異なる種別の前記電力設備に関する情報を前記種別ごとに処理することで、前記受け付けられた状態および位置を特定する情報と、地図上の予め定められた区画の情報とに基づいて統計処理を行うことにより、前記種別ごとに、前記区画内の前記電力設備の平均故障年数を算出するステップと、
前記種別ごとに、前記算出された平均故障年数を地図に重畳させて表示部に表示させるステップと、
をコンピュータにより実行させるためのプログラムを記憶したコンピュータ読み取り可能な記憶媒体であって、
前記入力が受け付けられる前記電力設備の状態を特定する情報は、屋外に設置された前記電力設備が撤去された状態で、撤去された前記電力設備を検査して得られた情報である、
記憶媒体。
【請求項１７】
複数の異なる種別の電力設備に関し、屋外に設置された前記電力設備の状態、および位置を特定する情報の入力を受け付けるステップと、
前記複数の異なる種別の前記電力設備に関する情報を前記種別ごとに処理することで、前記受け付けられた状態および位置を特定する情報と、地図上の予め定められた区画の情報とに基づいて統計処理を行うことにより、前記種別ごとに、前記区画内の前記電力設備の平均故障年数を算出するステップと、
前記種別ごとに、前記算出された平均故障年数を地図に重畳させて表示部に表示させるステップと、
をコンピュータにより実行させるためのプログラムを記憶したコンピュータ読み取り可能な記憶媒体であって、
前記入力が受け付けられる前記電力設備の状態を特定する情報は、前記電力設備において故障するまでの期間について個体差が小さい前記電力設備の一部の箇所の状態を特定する情報である、
記憶媒体。
【請求項１８】
複数の異なる種別の電力設備に関し、屋外に設置された前記電力設備の状態、および位置を特定する情報の入力を受け付けるステップと、
前記複数の異なる種別の前記電力設備に関する情報を前記種別ごとに処理することで、前記受け付けられた状態および位置を特定する情報と、地図上の予め定められた区画の情報とに基づいて統計処理を行うことにより、前記種別ごとに、前記区画内の前記電力設備の平均故障年数を算出するステップと、
前記種別ごとに、前記算出された平均故障年数を地図に重畳させて表示部に表示させるステップと、
をコンピュータにより実行させるためのプログラムを記憶したコンピュータ読み取り可能な記憶媒体であって、
前記入力が受け付けられる前記電力設備の状態を特定する情報は、前記電力設備に対して故障判定用に意図的に付加された部位の状態を特定する情報である、
記憶媒体。
【請求項１９】
設備状態解析装置と、表示部と、を備え、
前記設備状態解析装置は、
複数の異なる種別の電力設備に関し、屋外に設置された前記電力設備の状態、および位置を特定する情報の入力を受け付ける入力部と、
前記複数の異なる種別の前記電力設備に関する情報を前記種別ごとに処理することで、前記入力部に対して入力された状態および位置を特定する情報と、地図上の予め定められた区画の情報とに基づいて統計処理を行うことにより、前記種別ごとに、前記区画内の前記電力設備の平均故障年数を算出する算出部と、
前記種別ごとに、前記算出部により算出された平均故障年数を地図に重畳させて前記表示部に表示させる表示制御部と、を備え、
前記入力部により前記入力が受け付けられる前記電力設備の状態を特定する情報は、屋外に設置された前記電力設備が撤去された状態で、撤去された前記電力設備を検査して得られた情報である、
設備管理システム。
【請求項２０】
設備状態解析装置と、表示部と、を備え、
前記設備状態解析装置は、
複数の異なる種別の電力設備に関し、屋外に設置された前記電力設備の状態、および位置を特定する情報の入力を受け付ける入力部と、
前記複数の異なる種別の前記電力設備に関する情報を前記種別ごとに処理することで、前記入力部に対して入力された状態および位置を特定する情報と、地図上の予め定められた区画の情報とに基づいて統計処理を行うことにより、前記種別ごとに、前記区画内の前記電力設備の平均故障年数を算出する算出部と、
前記種別ごとに、前記算出部により算出された平均故障年数を地図に重畳させて前記表示部に表示させる表示制御部と、を備え、
前記入力部により前記入力が受け付けられる前記電力設備の状態を特定する情報は、前記電力設備において故障するまでの期間について個体差が小さい前記電力設備の一部の箇所の状態を特定する情報である、
設備管理システム。
【請求項２１】
設備状態解析装置と、表示部と、を備え、
前記設備状態解析装置は、
複数の異なる種別の電力設備に関し、屋外に設置された前記電力設備の状態、および位置を特定する情報の入力を受け付ける入力部と、
前記複数の異なる種別の前記電力設備に関する情報を前記種別ごとに処理することで、前記入力部に対して入力された状態および位置を特定する情報と、地図上の予め定められた区画の情報とに基づいて統計処理を行うことにより、前記種別ごとに、前記区画内の前記電力設備の平均故障年数を算出する算出部と、
前記種別ごとに、前記算出部により算出された平均故障年数を地図に重畳させて前記表示部に表示させる表示制御部と、を備え、
前記入力部により前記入力が受け付けられる前記電力設備の状態を特定する情報は、前記電力設備に対して故障判定用に意図的に付加された部位の状態を特定する情報である、
設備管理システム。
【発明の詳細な説明】
【技術分野】
【０００１】
本発明は、設備状態解析装置、設備状態解析方法、記憶媒体および設備管理システムに関する。
【背景技術】
【０００２】
特許文献１には、電力設備の状態を検出し、検出結果を表示部に表示させる電力設備の状態検出装置が記載されている。【０００３】
電力設備は環境の影響を受けて故障し得る。例えば、海岸の近くに設置される電力設備は塩害を受けて故障し得る。
具体例として、変圧器などの電力設備は、金属の筐体を有しており、屋外で外気に晒されると、湿気や塩分等により金属の筐体に錆が発生する。発生した錆によって電力設備は経時的に劣化し、電力設備の耐久性が損なわれる。
そこで、錆の発生を防止するため、電力設備の金属の筐体には防錆処理が施されている。具体的には、変圧器の金属の筐体には、塗装やめっき等の防錆加工が施されている。しかしながら、長年の使用により電力設備の塗装やめっきがはがれると、はがれた位置に錆が発生してしまう。作業員は、錆が発生した電力設備の錆の状態を確認する。錆の量が多く、腐食が進行している場合には、作業員は電力設備を廃棄する。【０００４】
しかしながら、電力設備が環境の影響を受けて故障する度合いが明確でない場合があり、明確な対応策を得ることが難しい場合があった。また、電力以外の設備についても、同様な場合があった。
【先行技術文献】
【特許文献】
【０００５】
【特許文献１】特開２０１３−８９１８６号公報
【発明の概要】
【発明が解決しようとする課題】
【０００６】
本発明が解決しようとする課題は、電力などの設備が環境の影響を受けて故障する度合いを示す平均故障年数を地図上で容易に認識するための表示を実現する設備状態解析装置、設備状態解析方法、記憶媒体および設備管理システムを提供することである。
【課題を解決するための手段】
【０００７】
一態様として、設備状態解析装置は、複数の異なる種別の電力設備に関し、屋外に設置された前記電力設備の状態、および位置を特定する情報の入力を受け付ける入力部と、前記複数の異なる種別の前記電力設備に関する情報を前記種別ごとに処理することで、前記入力部に対して入力された状態および位置を特定する情報と、地図上の予め定められた区画の情報とに基づいて統計処理を行うことにより、前記種別ごとに、前記区画内の前記電力設備の平均故障年数を算出する算出部と、前記種別ごとに、前記算出部により算出された平均故障年数を地図に重畳させて表示部に表示させる表示制御部と、を備え、前記入力部により前記入力が受け付けられる前記電力設備の状態を特定する情報は、屋外に設置された前記電力設備が撤去された状態で、撤去された前記電力設備を検査して得られた情報である。
一態様として、設備状態解析装置は、複数の異なる種別の電力設備に関し、屋外に設置された前記電力設備の状態、および位置を特定する情報の入力を受け付ける入力部と、前記複数の異なる種別の前記電力設備に関する情報を前記種別ごとに処理することで、前記入力部に対して入力された状態および位置を特定する情報と、地図上の予め定められた区画の情報とに基づいて統計処理を行うことにより、前記種別ごとに、前記区画内の前記電力設備の平均故障年数を算出する算出部と、前記種別ごとに、前記算出部により算出された平均故障年数を地図に重畳させて表示部に表示させる表示制御部と、を備え、前記入力部により前記入力が受け付けられる前記電力設備の状態を特定する情報は、前記電力設備において故障するまでの期間について個体差が小さい前記電力設備の一部の箇所の状態を特定する情報である。
一態様として、設備状態解析装置は、複数の異なる種別の電力設備に関し、屋外に設置された前記電力設備の状態、および位置を特定する情報の入力を受け付ける入力部と、前記複数の異なる種別の前記電力設備に関する情報を前記種別ごとに処理することで、前記入力部に対して入力された状態および位置を特定する情報と、地図上の予め定められた区画の情報とに基づいて統計処理を行うことにより、前記種別ごとに、前記区画内の前記電力設備の平均故障年数を算出する算出部と、前記種別ごとに、前記算出部により算出された平均故障年数を地図に重畳させて表示部に表示させる表示制御部と、を備え、前記入力部により前記入力が受け付けられる前記電力設備の状態を特定する情報は、前記電力設備に対して故障判定用に意図的に付加された部位の状態を特定する情報である。
【０００８】
一態様として、設備状態解析装置において、前記入力部は、前記電力設備の画像を解析して前記電力設備の状態の情報を取得する画像解析部を備える。
【０００９】
一態様として、設備状態解析装置において、前記電力設備の残寿命を算出し、算出した残寿命に基づいて報知を行わせる残寿命算出部を備える。
【００１０】
一態様として、設備状態解析装置において、前記入力部により受け付けられた情報に基づいて区画を生成する区画生成部を備える。【００１１】
一態様として、設備状態解析装置において、前記電力設備の位置を特定する情報は、前記電力設備のＩＤであり、前記入力部は、前記電力設備のＩＤと位置との対応情報に基づいて、前記電力設備のＩＤに対応する位置の情報を取得する。
【００１２】
一態様として、設備状態解析装置において、前記表示部は、端末装置の表示部である。【００１３】
一態様として、設備状態解析装置において、前記表示制御部は、前記平均故障年数を所定の数の範囲に分類して前記地図に重畳させて前記表示部に表示させる。【００１４】
一態様として、設備状態解析装置において、前記表示制御部は、前記区画より細かい領域ごとに前記平均故障年数を前記地図に重畳させて前記表示部に表示させる。【００１５】
一態様として、設備状態解析装置において、前記表示制御部は、海岸からの距離を前記地図に重畳させて前記表示部に表示させる。【００１６】
一態様として、設備状態解析装置において、前記入力部は、前記電力設備の複数の種別のうち特定の種別の選択を受け付ける。
【００１８】
一態様として、設備状態解析方法は、複数の異なる種別の電力設備に関し、屋外に設置された前記電力設備の状態、および位置を特定する情報の入力を受け付けるステップと、前記複数の異なる種別の前記電力設備に関する情報を前記種別ごとに処理することで、前記受け付けられた状態および位置を特定する情報と、地図上の予め定められた区画の情報とに基づいて統計処理を行うことにより、前記種別ごとに、前記区画内の前記電力設備の平均故障年数を算出するステップと、前記種別ごとに、前記算出された平均故障年数を地図に重畳させて表示部に表示させるステップと、を有する設備状態解析方法であって、前記入力が受け付けられる前記電力設備の状態を特定する情報は、屋外に設置された前記電力設備が撤去された状態で、撤去された前記電力設備を検査して得られた情報である。
一態様として、設備状態解析方法は、複数の異なる種別の電力設備に関し、屋外に設置された前記電力設備の状態、および位置を特定する情報の入力を受け付けるステップと、前記複数の異なる種別の前記電力設備に関する情報を前記種別ごとに処理することで、前記受け付けられた状態および位置を特定する情報と、地図上の予め定められた区画の情報とに基づいて統計処理を行うことにより、前記種別ごとに、前記区画内の前記電力設備の平均故障年数を算出するステップと、前記種別ごとに、前記算出された平均故障年数を地図に重畳させて表示部に表示させるステップと、を有する設備状態解析方法であって、前記入力が受け付けられる前記電力設備の状態を特定する情報は、前記電力設備において故障するまでの期間について個体差が小さい前記電力設備の一部の箇所の状態を特定する情報である。
一態様として、設備状態解析方法は、複数の異なる種別の電力設備に関し、屋外に設置された前記電力設備の状態、および位置を特定する情報の入力を受け付けるステップと、前記複数の異なる種別の前記電力設備に関する情報を前記種別ごとに処理することで、前記受け付けられた状態および位置を特定する情報と、地図上の予め定められた区画の情報とに基づいて統計処理を行うことにより、前記種別ごとに、前記区画内の前記電力設備の平均故障年数を算出するステップと、前記種別ごとに、前記算出された平均故障年数を地図に重畳させて表示部に表示させるステップと、を有する設備状態解析方法であって、前記入力が受け付けられる前記電力設備の状態を特定する情報は、前記電力設備に対して故障判定用に意図的に付加された部位の状態を特定する情報である。
【００１９】
一態様として、複数の異なる種別の電力設備に関し、屋外に設置された前記電力設備の状態、および位置を特定する情報の入力を受け付けるステップと、前記複数の異なる種別の前記電力設備に関する情報を前記種別ごとに処理することで、前記受け付けられた状態および位置を特定する情報と、地図上の予め定められた区画の情報とに基づいて統計処理を行うことにより、前記種別ごとに、前記区画内の前記電力設備の平均故障年数を算出するステップと、前記種別ごとに、前記算出された平均故障年数を地図に重畳させて表示部に表示させるステップと、をコンピュータにより実行させるためのプログラムを記憶したコンピュータ読み取り可能な記憶媒体であって、前記入力が受け付けられる前記電力設備の状態を特定する情報は、屋外に設置された前記電力設備が撤去された状態で、撤去された前記電力設備を検査して得られた情報である。
一態様として、複数の異なる種別の電力設備に関し、屋外に設置された前記電力設備の状態、および位置を特定する情報の入力を受け付けるステップと、前記複数の異なる種別の前記電力設備に関する情報を前記種別ごとに処理することで、前記受け付けられた状態および位置を特定する情報と、地図上の予め定められた区画の情報とに基づいて統計処理を行うことにより、前記種別ごとに、前記区画内の前記電力設備の平均故障年数を算出するステップと、前記種別ごとに、前記算出された平均故障年数を地図に重畳させて表示部に表示させるステップと、をコンピュータにより実行させるためのプログラムを記憶したコンピュータ読み取り可能な記憶媒体であって、前記入力が受け付けられる前記電力設備の状態を特定する情報は、前記電力設備において故障するまでの期間について個体差が小さい前記電力設備の一部の箇所の状態を特定する情報である。
一態様として、複数の異なる種別の電力設備に関し、屋外に設置された前記電力設備の状態、および位置を特定する情報の入力を受け付けるステップと、前記複数の異なる種別の前記電力設備に関する情報を前記種別ごとに処理することで、前記受け付けられた状態および位置を特定する情報と、地図上の予め定められた区画の情報とに基づいて統計処理を行うことにより、前記種別ごとに、前記区画内の前記電力設備の平均故障年数を算出するステップと、前記種別ごとに、前記算出された平均故障年数を地図に重畳させて表示部に表示させるステップと、をコンピュータにより実行させるためのプログラムを記憶したコンピュータ読み取り可能な記憶媒体であって、前記入力が受け付けられる前記電力設備の状態を特定する情報は、前記電力設備に対して故障判定用に意図的に付加された部位の状態を特定する情報である。
【００２０】
一態様として、設備状態解析装置と、表示部と、を備え、前記設備状態解析装置は、複数の異なる種別の電力設備に関し、屋外に設置された前記電力設備の状態、および位置を特定する情報の入力を受け付ける入力部と、前記複数の異なる種別の前記電力設備に関する情報を前記種別ごとに処理することで、前記入力部に対して入力された状態および位置を特定する情報と、地図上の予め定められた区画の情報とに基づいて統計処理を行うことにより、前記種別ごとに、前記区画内の前記電力設備の平均故障年数を算出する算出部と、前記種別ごとに、前記算出部により算出された平均故障年数を地図に重畳させて前記表示部に表示させる表示制御部と、を備え、前記入力部により前記入力が受け付けられる前記電力設備の状態を特定する情報は、屋外に設置された前記電力設備が撤去された状態で、撤去された前記電力設備を検査して得られた情報である、設備管理システムである。
一態様として、設備状態解析装置と、表示部と、を備え、前記設備状態解析装置は、複数の異なる種別の電力設備に関し、屋外に設置された前記電力設備の状態、および位置を特定する情報の入力を受け付ける入力部と、前記複数の異なる種別の前記電力設備に関する情報を前記種別ごとに処理することで、前記入力部に対して入力された状態および位置を特定する情報と、地図上の予め定められた区画の情報とに基づいて統計処理を行うことにより、前記種別ごとに、前記区画内の前記電力設備の平均故障年数を算出する算出部と、前記種別ごとに、前記算出部により算出された平均故障年数を地図に重畳させて前記表示部に表示させる表示制御部と、を備え、前記入力部により前記入力が受け付けられる前記電力設備の状態を特定する情報は、前記電力設備において故障するまでの期間について個体差が小さい前記電力設備の一部の箇所の状態を特定する情報である、設備管理システムである。
一態様として、設備状態解析装置と、表示部と、を備え、前記設備状態解析装置は、複数の異なる種別の電力設備に関し、屋外に設置された前記電力設備の状態、および位置を特定する情報の入力を受け付ける入力部と、前記複数の異なる種別の前記電力設備に関する情報を前記種別ごとに処理することで、前記入力部に対して入力された状態および位置を特定する情報と、地図上の予め定められた区画の情報とに基づいて統計処理を行うことにより、前記種別ごとに、前記区画内の前記電力設備の平均故障年数を算出する算出部と、前記種別ごとに、前記算出部により算出された平均故障年数を地図に重畳させて前記表示部に表示させる表示制御部と、を備え、前記入力部により前記入力が受け付けられる前記電力設備の状態を特定する情報は、前記電力設備に対して故障判定用に意図的に付加された部位の状態を特定する情報である、設備管理システムである。
【発明の効果】
【００２１】
設備状態解析装置、設備状態解析方法、記憶媒体および設備管理システムによると、電力などの設備が環境の影響を受けて故障する度合いを示す平均故障年数を地図上で容易に認識するための表示を実現することができる。
【図面の簡単な説明】
【００２２】
【図１】第１実施形態に係る設備状態解析装置を備える電力設備管理システムの構成を示した図である。
【図２】電力設備情報記憶部に記憶される電力設備情報の一例を示す図である。
【図３】設備状態解析装置において行われる処理の手順の一例を示すフローチャートである。
【図４】ワイブル（Ｗｅｉｂｕｌｌ）分析の結果の一例を示す図である。
【図５】表示部の画面に表示される表示情報の一例を示す図である。
【図６】１つの区画に含まれる電力設備の配置の一例を示す図である。
【図７】表示部の画面に表示される表示情報の他の一例を示す図である。
【図８】表示部の画面に表示される表示情報の他の一例を示す図である。
【図９】電力設備の種別を選択する画面の一例を示す図である。
【図１０】ワイブル分析の結果の他の一例を示す図である。
【図１１】第２実施形態に係る設備状態解析装置を備える電力設備管理システムの構成を示した図である。
【図１２】第３実施形態に係る設備状態解析装置を備える電力設備管理システムの構成を示した図である。
【図１３】第４実施形態に係る設備状態解析装置を備える電力設備管理システムの構成を示した図である。
【図１４】設備状態解析装置の区画生成部において行われる処理の手順の一例を示すフローチャートである。
【図１５】第５実施形態に係る設備状態解析装置を備える電力設備管理システムの構成を示した図である。
【図１６】第６実施形態に係る設備状態解析装置を備える電力設備管理システムの構成を示した図である。
【発明を実施するための形態】
【００２３】
以下、図面を参照し、実施形態に係る設備状態解析装置、設備状態解析方法、記憶媒体および電力設備管理システムを説明する。
【００２４】
（第１実施形態）
図１は、設備状態解析装置１１を備える電力設備管理システム１の構成を示した図である。
電力設備管理システム１は、設備状態解析装置１１と、電力設備情報記憶部１２と、地図情報記憶部１３と、表示部２１を備える。
【００２５】
電力設備情報記憶部１２は、電力設備情報を記憶する。
図２は、電力設備情報記憶部１２に記憶される電力設備情報の一例を示す図である。電力設備情報記憶部１２は、例えば、データベースである。
図２に示される電力設備情報は、電力設備の識別情報（ＩＤ：Identification）と、種別の情報と、位置の情報と、区画の情報と、期間の情報を対応付けて含む。本実施形態では、ＩＤは番号の情報であり、種別の情報は電力設備の名称の情報であり、位置の情報は緯度および経度の情報であり、区画の情報は各区画を示す番号の情報および各区画を特定する範囲の情報であり、期間の情報は電力設備が設置されてから経過した期間（稼働期間）の情報である。ＩＤは、例えば、型番と製造番号との一方または両方であってもよい。区画を特定する情報は、例えば、緯度および経度を用いて範囲を特定する情報である。
【００２６】
電力設備の種別としては、様々な情報が用いられてもよく、例えば、電力設備の機材の種別（例えば、電力設備の名称）が用いられてもよく、または、電力設備の機材の種別とともに、当該電力設備の大きさあるいは長さなどの種別が用いられてもよい。なお、機材の種別は、資材の種別を含んでもよい。また、種別は、種類と呼ばれてもよい。
区画としては、様々な区画が用いられてもよい。一例として、マネジメントなどで使用されるメンバー単位の配電ブロックの区画が用いられてもよい。他の例として、郵便番号に基づく区画が用いられてもよい。
【００２７】
なお、電力設備情報に格納される情報は、図２の例に限られず、様々な情報であってもよい。また、例えばＩＤとして番号の形式を使用するなど、それぞれの情報の形式は、様々な形式であってもよい。また、本実施形態では、電力設備のすべての種別について同じ区画が用いられるが、種別ごとに異なる区画が用いられてもよい。また、本実施形態では、電力設備情報に複数の異なる種別の電力設備の情報が含まれるが、種別ごとに別個の電力設備情報が設けられてもよい。
本実施形態では、電力設備情報記憶部１２は、設備状態解析装置１１の外部に備えられるが、内部に備えられてもよい。
【００２８】
地図情報記憶部１３は、地図の情報を記憶する。本実施形態では、地図情報記憶部１３は、日本の地図の情報を記憶するが、他の地図の情報を記憶してもよい。地図情報記憶部１３は、例えば、データベースである。
なお、地図情報記憶部１３は、電力設備管理システム１に専用の地図情報を記憶する記憶部であってもよく、または、公に使用することが可能な地図情報を記憶するインターネット上の記憶部であってもよい。
本実施形態では、地図情報記憶部１３は、設備状態解析装置１１の外部に備えられるが、内部に備えられてもよい。
【００２９】
表示部２１は、例えば、画面（ディスプレイ）を備えた表示機器である。
表示部２１は、画面に情報を表示することが可能な様々なものであってもよく、例えば、表示専用の機能を有する表示機器、あるいは、パーソナルコンピュータに一体化された表示機能の部分であってもよい。
【００３０】
設備状態解析装置１１について説明する。
設備状態解析装置１１は、入力部５１と、算出部５２と、表示制御部５３を備える。
入力部５１は、情報Ａ１の入力を受け付ける。情報Ａ１は、屋外に設置された電力設備の状態、および位置を特定する情報である。入力部５１は、受け付けた入力の情報を算出部５２に出力する。
本実施形態では、入力部５１は、特定の種別の電力設備について、複数の電力設備の情報の入力を受け付ける。また、本実施形態では、入力部５１は、ユーザ（人）により操作することが可能なキーボードおよびマウスなどの操作部を有し、当該操作部の操作に応じた入力を受け付ける。ユーザは、例えば、電力設備に関する作業員などである。
【００３１】
電力設備の状態として、当該電力設備が故障しているという状態または当該電力設備が故障していない（非故障である）という状態が用いられる。なお、故障しているか否かの２つの情報は、いずれが用いられてもよく、両方が用いられてもよい。
位置を特定する情報として、本実施形態では、位置の情報が用いられる。位置の情報として、本実施形態では、緯度および経度の情報が用いられる。位置の情報としては、例えば、ユーザにより入力される。
【００３２】
なお、電力設備の情報としては、例えば、屋外に設置された状態にある電力設備を検査して得られた情報が用いられてもよく、または、屋外に設置された電力設備が撤去された状態で、撤去された電力設備（撤去品）を検査して得られた情報が用いられてもよい。
【００３３】
算出部５２は、入力部５１に対して入力された状態および位置を特定する情報と、予め定められた地図上の区画の情報とに基づいて統計処理を行うことにより、区画内の電力設備の平均故障年数を算出する。算出部５２は、各区画について、区画の情報および当該区画内の電力設備の平均故障年数の情報を表示制御部５３に出力する。
本実施形態では、日本の地図上に区画が、予め定められている。そして、各電力設備に、当該各電力設備が設置される場所が属する区画の情報（区画のデータ）が対応付けられている。算出部５２は、電力設備情報記憶部１２に記憶される電力設備情報に基づいて、入力部５１から状態および位置を特定する情報が入力された電力設備について、当該位置に対応した区画の情報および稼働期間の情報を取得する。そして、算出部５２は、特定の種別の電力設備について、各区画の情報および当該各区画内の電力設備の平均故障年数の情報を表示制御部５３に出力する。
統計処理として、本実施形態では、特定の種別の複数の電力設備について、ワイブル分析の処理が用いられる。統計処理としては、他の様々な処理が用いられてもよく、例えば、ヒストグラムを使用する処理が用いられてもよい。
【００３４】
表示制御部５３は、算出部５２により算出された平均故障年数を地図に重畳させて表示部２１に表示させる。
本実施形態では、表示制御部５３は、地図情報記憶部１３に記憶された地図情報に基づいて日本の地図情報を取得し、算出部５２から入力された情報に基づいて、特定の種別の電力設備について、各区画の情報および平均故障年数の情報を取得する。そして、表示制御部５３は、取得した情報に基づいて、地図上に各区画および平均故障年数を表す表示情報を生成し、当該表示情報を表示部２１に出力する。これにより、表示部２１は、表示制御部５３による制御情報（本実施形態では、表示情報）にしたがって、表示情報を画面に表示する。
【００３５】
ここで、他の構成例として、各区画を特定する範囲の情報が電力設備情報には含まれずに、各区画を示す番号の情報と当該各区画を特定する範囲の情報との対応が、電力設備情報および地図情報とは別の対応情報として任意の記憶部に記憶されてもよい。この場合、算出部５２は、電力設備情報および当該対応情報に基づいて、各電力設備について、区画の情報（各区画を示す番号の情報および各区画を特定する範囲の情報）を取得する。
さらに、他の構成例として、各区画を特定する範囲の情報が電力設備情報には含まれずに、各区画を示す番号の情報と当該各区画を特定する範囲の情報との対応が、地図情報に含められて地図情報記憶部１３に記憶されてもよい。この場合、算出部５２は、区画の情報として各区画を示す番号の情報を用いて、表示制御部５３が、地図情報に基づいて、各電力設備について、各区画を示す番号の情報に対応する当該各区画を特定する範囲の情報を取得する。
【００３６】
また、本実施形態では、入力部５１、算出部５２および表示制御部５３は、例えば、特定の１つの種別の電力設備の情報を処理するが、他の構成例として、複数の異なる種別の電力設備の情報を種別ごとに処理してもよい。さらに他の構成例として、入力部５１、算出部５２および表示制御部５３は、２つ以上の異なる種別の電力設備の情報を同じように扱って、まとめて処理してもよい。
【００３７】
図３は、設備状態解析装置１１において行われる処理の手順の一例を示すフローチャートである。
まず、入力部５１は、電力設備の状態および位置の情報の入力を受け付ける（ステップＳ１）。次に、算出部５２は、入力部５１により受け付けられた情報および電力設備情報に基づいて、電力設備の区画を特定する（ステップＳ２）。次に、算出部５２は、特定した区画ごとに、特定の種別の電力設備について、ワイブル分析を行う（ステップＳ３）。次に、算出部５２は、特定の種別の電力設備について、ワイブル分析の結果に基づいて、平均故障年数を算出する（ステップＳ４）。次に、表示制御部５３は、地図情報を入力する（ステップＳ５）。次に、表示制御部５３は、算出部５２により得られた情報および地図情報に基づいて、表示情報を生成する（ステップＳ６）。そして、表示制御部５３は、表示制御を行い、生成された表示情報を表示部２１により表示させる（ステップＳ７）。
【００３８】
図４は、ワイブル分析の結果の一例を示す図である。
図４に示されるグラフでは、横軸は期間（例えば、年）を表し、縦軸は故障率（％）を表す。期間として、稼働期間が用いられる。
図４の例では、３つの異なる区間についてワイブル分析の結果を示してある。本実施形態において、これらの区間を第１の区間、第２の区間、第３の区間という。
ワイブル分析の結果、特定の種別の電力設備について、第１の区間では、当該区間に含まれる複数の電力設備の情報に基づいて、直線１０１１が得られている。同じように、第２の区間では、当該区間に含まれる複数の電力設備の情報に基づいて、直線１０１２が得られている。同じように、第３の区間では、当該区間に含まれる複数の電力設備の情報に基づいて、直線１０１３が得られている。特定の種別は、例えば、変圧器などである。
算出部５２は、各区間の直線１０１１〜１０１３に基づいて、当該各区間における電力設備の平均故障年数を算出する。図４の例では、第１の区間（直線１０１３）、第２の区間（直線１０１２）、第３の区間（直線１０１３）の順に、平均故障年数が短い。
【００３９】
図５は、表示部２１の画面２０１１に表示される表示情報の一例を示す図である。
画面２０１１の表示情報の例では、日本の特定の地域（例えば、神奈川県）の地図に、複数の区画が上書きされている。そして、それぞれの区画ごとに、特定の種別の電力設備について、平均故障年数が示されている。図５の例では、複数の区画のうち、１つの区画２０５１のみに符号を付してある。特定の種別は、例えば、変圧器などである。
【００４０】
図５の例では、表示制御部５３は、複数の区間の平均故障年数を３つの範囲に分類して表示する表示情報を生成している。具体的には、表示制御部５３は、平均故障年数が５年以内の範囲（超塩害とみなす範囲）と、平均故障年数が６〜２０年の範囲（強塩害とみなす範囲）と、平均故障年数が２１〜３０年の範囲（弱塩害の範囲）との３つの範囲に、複数の区間の平均故障年数を分類する。そして、表示制御部５３は、複数の区間の平均故障年数を、各区間が属する範囲ごとに、３つの異なる色で表示する表示情報を生成する。
なお、５年と６年との間の期間は５年以内または６〜２０年のいずれの範囲に含められてもよく、同じように、２０年と２１年との間の期間は６〜２０年または２１〜３０年のいずれの範囲に含められてもよい。
【００４１】
図５の例では、表示制御部５３は、平均故障年数を所定の数（例えば、２つ以上の数）の範囲に分類して地図に重畳させて表示部２１に表示させる。
図５の例では、区画ごとの平均故障年数を所定の数の範囲に分類した結果を把握することが可能となる。これにより、例えば、分類された範囲ごとに、設置する電力設備の設計基準の最適化を図ることが可能となる。
【００４２】
なお、複数の区間の平均故障年数の表示の方法としては、他の方法であってもよく、例えば、それぞれの区間ごとに平均故障年数の値を表示する方法、すべての異なる平均故障年数に異なる色を割り当てて表示する方法、３つ以外の数の平均故障年数の範囲を用いて表示する方法が用いられてもよい。また、色の代わりに、模様が用いられてもよい。
【００４３】
図６は、１つの区画２０５１に含まれる電力設備の配置の一例を示す図である。
図６の例では、区画２０５１に含まれる位置に存在する複数の電力設備のそれぞれを印で示してある。これら複数の電力設備のうちの１つの電力設備２０６１のみに符号を付してある。電力設備は、例えば、変圧器である。
【００４４】
本実施形態に係る設備状態解析装置１１では、屋外に設置された電力設備の状態、および位置を特定する情報の入力を受け付ける入力部５１と、入力部５１に対して入力された状態および位置を特定する情報と、地図上の予め定められた区画の情報とに基づいて統計処理を行うことにより、前記区画内の電力設備の平均故障年数を算出する算出部５２と、算出部５２により算出された平均故障年数を地図に重畳させて表示部２１に表示させる表示制御部５３と、を備える。
また、本実施形態に係る設備状態解析方法では、屋外に設置された電力設備の状態、および位置を特定する情報の入力を受け付けるステップと、前記受け付けられた状態および位置を特定する情報と、地図上の予め定められた区画の情報とに基づいて統計処理を行うことにより、前記区画内の電力設備の平均故障年数を算出するステップと、前記算出された平均故障年数を地図に重畳させて表示部に表示させるステップと、を有する。
【００４５】
本実施形態に係る設備状態解析装置１１を備える電力設備管理システム１では、電力設備が環境の影響を受けて故障する度合いを示す平均故障年数を地図上で容易に認識するための表示を実現することができる。本実施形態に係る電力設備管理システム１では、区画ごとに電力設備の平均故障年数を把握することが可能となる。これにより、例えば、設置する電力設備の設計基準の最適化を図ることが可能となる。
【００４６】
図７は、表示部２１の画面２０１１に表示される表示情報の他の一例を示す図である。
画面２０１１の表示情報の例では、日本の特定の地域（例えば、神奈川県）の地図に、複数の区画が上書きされており、さらに、区画よりも細かい複数の領域（本実施形態において、分割領域という。）が上書きされている。そして、それぞれの分割領域ごとに、特定の種別の電力設備について、平均故障年数が示されている。図７の例では、複数の分割領域のうち、１つの分割領域２１５３のみに符号を付してある。特定の種別は、例えば、変圧器などである。
図７の例では、表示制御部５３は、複数の分割領域の平均故障年数を３つの範囲に分類して表示する表示情報を生成している。
ここで、分割領域を特定する情報は、例えば、電力設備情報記憶部１２、または、他の記憶部に記憶される。そして、算出部５２は、分割領域を特定する情報を記憶する記憶部から当該情報を取得し、取得した情報に基づいて、それぞれの分割領域ごとにワイブル分析を行う。つまり、図７の例では、算出部５２は区画の代わりに分割領域を単位としてワイブル分析を行い、表示制御部５３は区画の代わりに分割領域を単位として表示情報を生成する。
【００４７】
図７の例では、表示制御部５３は、区画より細かい領域（分割領域）ごとに平均故障年数を地図に重畳させて表示部２１に表示させる。
図７の例では、区画よりも細かい領域（分割領域）ごとに電力設備の平均故障年数を把握することが可能となる。これにより、例えば、区画よりも細かい領域ごとに、設置する電力設備の設計基準の最適化を図ることが可能となる。
【００４８】
図８は、表示部２１の画面２０１１に表示される表示情報の他の一例を示す図である。
図８の例では、図５に示されるのと同じ表示情報に、さらに、地図上に、海岸からの距離が所定値となる位置の集合を結ぶ線が上書きされて表示されている。図８の例では、海岸からの距離を示す複数の線のうち、１つの線２２６１のみに符号を付してある。
ここで、海岸の情報は、例えば、地図情報記憶部１３に記憶される地図情報に含まれる。表示制御部５３は、地図情報に基づいて、表示対象となる陸地の区画について、海岸からの距離の所定値が一定となる位置の集合を結ぶ線を、海岸からの距離を示す線として算出して、表示情報に含める。
【００４９】
図８の例では、表示制御部５３は、海岸からの距離を地図に重畳させて表示部２１に表示させる。
図８の例では、区画ごとの電力設備の平均故障年数の分布と、海岸からの距離の分布を把握することが可能となり、これらの比較を行うことが可能となる。これにより、海岸からの距離が同じであっても塩害（海からの塩による害）による平均故障年数が違う箇所を把握することができ、例えば、設置する電力設備の設計基準の最適化を図ることが可能となる。
【００５０】
図９は、電力設備の種別を選択する画面２０１１の一例を示す図である。
図９の例では、表示部２１の画面２０１１が用いられているが、設備状態解析装置１１または他の装置の画面が用いられてもよい。
図９に示される画面２０１１には、「電力設備の種別を選択してください。」という文字、および「１変圧器  ２開閉器  ３・・・（以降は省略）」という文字が表示されている。
ユーザは、設備状態解析装置１１の入力部５１または他の装置の入力部を操作することで、画面２０１１に表示されるカーソル３０５１の表示位置を変更させることができる。具体的には、表示制御部５３は、ユーザにより行われる操作に応じて、画面２０１１に表示されるカーソル３０５１の表示位置を変更させる表示情報を生成する。
ユーザは、設備状態解析装置１１の入力部５１または他の装置の入力部を操作することで、画面２０１１に表示される許諾のボタン（ＯＫボタン３０６１）または拒否のボタン（キャンセルボタン３０６２）を押下することができる。具体的には、表示制御部５３は、ユーザにより行われる操作に応じて、画面２０１１に表示されるＯＫボタン３０６１またはキャンセルボタン３０６２の押下を受け付ける。
【００５１】
ユーザの操作によりカーソル３０５１が希望の電力設備の種別に対応する位置に移動させられてＯＫボタン３０６１が押下されると、表示制御部５３は、対応する電力設備の種別の選択を受け付ける。ユーザの操作によりキャンセルボタン３０６２が押下されると、図９に示される画面２０１１の表示がキャンセルされる。
【００５２】
設備状態解析装置１１では、表示制御部５３により受け付けられた電力設備の種別に応じて、様々な処理が行われてもよい。
例えば、算出部５２は、受け付けられた電力設備の種別について、ワイブル分析を行ってもよい。
例えば、表示制御部５３は、受け付けられた電力設備の種別について、表示情報を生成してもよい。
【００５３】
図９の例では、表示制御部５３は、電力設備の複数の種別のうち特定の種別の選択を受け付ける。
図９の例では、複数の電力設備の種別のうちで希望の種別を選択することが可能となる。これにより、希望の種別の電力設備について、各種の処理を実行させることが可能となる。
【００５４】
図１０は、ワイブル分析の結果の他の一例を示す図である。
図１０に示されるグラフでは、横軸は期間（例えば、年）を表し、縦軸は故障率（％）を表す。
図１０の例では、４つの異なる区間についてワイブル分析の結果を示してある。各区間について、各直線１０３１〜１０３４が得られている。
このように、ワイブル分析の方法としては、様々な方法が用いられてもよい。
【００５５】
（第２実施形態）
図１１は、設備状態解析装置１１１を備える電力設備管理システム２の構成を示した図である。
電力設備管理システム２は、設備状態解析装置１１１と、電力設備情報記憶部１１２と、地図情報記憶部１１３と、表示部１２１と、画像処理部１３１と、画像関連情報記憶部１３２を備える。
設備状態解析装置１１１は、入力部１５１と、算出部１５２と、表示制御部１５３を備える。
入力部１５１は、画像解析部１８１を備える。
【００５６】
ここで、電力設備管理システム２の構成および動作は、画像処理部１３１、画像関連情報記憶部１３２および入力部１５１に関する部分を除いて、図１に示される対応する構成部と同じである。このため、本実施形態では、図１に示されるシステムとは異なる構成部について詳しく説明する。
【００５７】
画像関連情報記憶部１３２は、電力設備の画像に基づいて当該電力設備の状態を判定するために使用される情報である画像関連情報を記憶する。画像関連情報としては、所定の状態にある電力設備の全体または一部の画像の情報が用いられてもよく、または、所定の状態にあるか否かを判定するための閾値の情報が用いられてもよい。所定の状態としては、故障している状態、または、故障していない状態が用いられる。
【００５８】
画像処理部１３１は、画像取得部１７１を備える。
画像取得部１７１は、情報Ａ１１を取得する。情報Ａ１１は、状態を判定する対象となる電力設備の画像の情報である。画像取得部１７１は、取得された画像の情報を設備状態解析装置１１１に対して出力する。画像取得部１７は、例えば、画像を撮像する撮像装置であり、または、撮像された画像の情報を入力する装置である。
【００５９】
設備状態解析装置１１１では、入力部１５１は、画像処理部１３１の画像取得部１７１から出力された画像の情報の入力を受け付ける。入力部１５１の画像解析部１８１は、受け付けられた画像の情報と、画像関連情報記憶部１３２に記憶された画像関連情報に基づいて、受け付けられた画像に表わされた判定対象の電力設備について、解析する。
具体的には、画像解析部１８１は、判定対象の電力設備の状態を判定する。そして、画像解析部１８１は、判定対象の電力設備の状態の判定結果と、当該電力設備の位置の情報を出力する。
【００６０】
ここで、電力設備の位置の情報は、例えば、ユーザにより設備状態解析装置１１１の入力部１５１に入力される。または、電力設備の位置の情報は、ユーザにより画像処理部１３１に入力され、画像処理部１３１から設備状態解析装置１１１の入力部１５１に入力される。
他の構成例として、画像取得部１７１が撮像装置である場合に、当該画像取得部１７１にＧＰＳ（Global Positioning System）の機能を備え、電力設備の画像を撮像するときに、当該電力設備の位置の情報を当該ＧＰＳの機能により取得してもよい。この場合、画像取得部１７１は、取得された電力設備の位置の情報を設備状態解析装置１１１の入力部１５１に出力する。
他の構成例として、それぞれの電力設備に固有のＩＤを付しておき、画像に写った当該ＩＤに基づいて、画像解析部１８１が当該電力設備の位置の情報を特定してもよい。例えば、電力設備のＩＤと位置との対応情報を画像関連情報に含めておき、画像解析部１８１は、当該対応情報に基づいて、電力設備のＩＤに対応する位置の情報を検出する。
【００６１】
なお、本実施形態では、画像解析部１８１を設備状態解析装置１１１の入力部１５１に備えたが、他の構成例として、画像解析部１８１を設備状態解析装置１１１の入力部１５１に備えずに、画像解析部１８１の機能を画像処理部１３１に備えて、画像解析部１８１により得られた情報を設備状態解析装置１１１の入力部１５１に出力する構成が用いられてもよい。
【００６２】
本実施形態に係る設備状態解析装置１１１では、入力部１５１は、電力設備の画像を解析して当該電力設備の状態の情報を取得する画像解析部１８１を備える。
本実施形態に係る設備状態解析装置１１１を備える電力設備管理システム２では、電力設備の画像に基づいて、当該電力設備の状態を判定することが可能となる。また、電力設備の画像に基づいて、当該電力設備の位置を判定する構成とすることも可能である。
【００６３】
（第３実施形態）
図１２は、設備状態解析装置２１１を備える電力設備管理システム３の構成を示した図である。
電力設備管理システム３は、設備状態解析装置２１１と、電力設備情報記憶部２１２と、地図情報記憶部２１３と、表示部２２１と、アラート部２２２を備える。
設備状態解析装置２１１は、入力部２５１と、算出部２５２と、表示制御部２５３と、残寿命算出部２５４を備える。
【００６４】
ここで、電力設備管理システム３の構成および動作は、残寿命算出部２５４およびアラート部２２２に関する部分を除いて、図１に示される対応する構成部と同じである。このため、本実施形態では、図１に示されるシステムとは異なる構成部について詳しく説明する。
【００６５】
算出部２５２は、特定の種別の電力設備の稼働期間の情報を残寿命算出部２５４に出力する。また、算出部２５２は、当該種別の電力設備について、算出された平均故障年数の情報を残寿命算出部２５４に出力する。
残寿命算出部２５４は、特定の種別の電力設備について、平均故障年数から稼働期間を減算した値を、平均的な残寿命として算出する。残寿命算出部２５４は、算出された残寿命の情報に基づいて、アラート部２２２を制御する。
例えば、残寿命算出部２５４は、算出された残寿命が所定の値より低かった場合に、アラート部２２２により警報（アラート）を出力させる。他の構成例として、残寿命算出部２５４は、算出された残寿命の情報を常にアラート部２２２により出力させてもよい。
【００６６】
アラート部２２２は、例えば、音の警報を発するブザー、または、表示の警報を発する表示器であってもよい。
なお、アラート部２２２と表示部２２１とが一体化されて構成されてもよい。
【００６７】
本実施形態に係る設備状態解析装置２１１では、電力設備の残寿命を算出し、算出した残寿命に基づいて報知（例えば、警報）を行わせる残寿命算出部２５４を備える。
本実施形態に係る設備状態解析装置２１１を備える電力設備管理システム３では、区画ごとに、電力設備の残寿命に基づく警報を出力することが可能となる。
【００６８】
（第４実施形態）
図１３は、設備状態解析装置３１１を備える電力設備管理システム４の構成を示した図である。
電力設備管理システム４は、設備状態解析装置３１１と、電力設備情報記憶部３１２と、地図情報記憶部３１３と、表示部３２１を備える。
設備状態解析装置３１１は、入力部３５１と、算出部３５２と、表示制御部３５３と、区画生成部３５４を備える。
【００６９】
ここで、電力設備管理システム４の構成および動作は、区画生成部３５４に関する部分を除いて、図１に示される対応する構成部と同じである。このため、本実施形態では、図１に示されるシステムとは異なる構成部について詳しく説明する。
【００７０】
入力部３５１は、入力の情報Ａ１に基づいて、電力設備の位置の情報を区画生成部３５４に出力する。この情報としては、特定の種別の電力設備の情報であってもよく、または、任意の種別の電力設備の情報であってもよい。
区画生成部３５４は、入力部３５１から入力された情報に基づいて、複数の区画を特定する範囲の情報を生成し、生成した情報を電力設備情報記憶部３１２の記憶情報に反映させる。具体的には、区画生成部３５４は、電力設備情報記憶部３１２の記憶情報について、各電力設備が属する区画を特定する範囲の情報として、生成した情報を格納する。なお、各区画を示す番号の情報は、例えば、電力設備情報記憶部３１２に既に記憶されている情報が用いられてもよく、または、区画生成部３５４により生成してもよい。
【００７１】
図１４は、設備状態解析装置３１１の区画生成部３５４において行われる処理の手順の一例を示すフローチャートである。
まず、区画生成部３５４は、入力部３５１により受け付けられた電力設備の情報を入力する（ステップＳ２１）。次に、区画生成部３５４は、入力された電力設備の情報に基づいて、複数の電力設備の位置の分布に関し、クラスタ分析を行う（ステップＳ２２）。次に、区画生成部３５４は、クラスタ分析の結果に基づいて、複数の区画について、各区画を特定する範囲の情報を生成する（ステップＳ２３）。そして、区画生成部３５４は、生成された区画に関する情報を電力設備情報記憶部３１２に記憶される電力設備情報に反映させる（ステップＳ２４）。
【００７２】
ここで、本実施形態では、区画生成部３５４は、電力設備の位置の情報を用いて、例えば位置が近い電力設備を集合させるクラスタ分析を行ったが、他の構成例として、電力設備の位置の情報および状態の情報を用いて、状態が同一または類似する電力設備を集合させるクラスタ分析を行ってもよい。
また、クラスタ分析としては、様々な手法のものが用いられてもよい。
【００７３】
本実施形態に係る設備状態解析装置３１１では、入力部３５１により受け付けられた情報に基づいて区画を生成する区画生成部３５４を備える。
本実施形態に係る設備状態解析装置３１１を備える電力設備管理システム４では、電力設備の位置あるいは状態に基づいて、複数の区画を生成することが可能である。
【００７４】
（第５実施形態）
図１５は、設備状態解析装置４１１を備える電力設備管理システム５の構成を示した図である。
電力設備管理システム５は、設備状態解析装置４１１と、電力設備情報記憶部４１２と、地図情報記憶部４１３と、表示部４２１を備える。
設備状態解析装置４１１は、入力部４５１と、算出部４５２と、表示制御部４５３を備える。
【００７５】
ここで、電力設備管理システム５の構成および動作は、入力部４４１に関する部分を除いて、図１に示される対応する構成部と同じである。このため、本実施形態では、図１に示されるシステムとは異なる構成部について詳しく説明する。
【００７６】
入力部４５１は、情報Ａ２１の入力を受け付ける。情報Ａ２１は、屋外に設置された電力設備の状態、および位置を特定する情報である。本実施形態では、位置を特定する情報として、電力設備のＩＤが用いられる。本実施形態では、電力設備情報において各電力設備のＩＤと位置の情報とが対応付けられており、ＩＤによって当該ＩＤに対応する位置を特定することが可能である。
入力部４５１は、電力設備情報記憶部４１２に記憶された電力設備情報に基づいて、受け付けた電力設備のＩＤに対応する当該電力設備の位置の情報を検出する。そして、入力部４５１は、受け付けた電力設備の状態の情報および検出した当該電力設備の位置の情報を算出部４５２に出力する。
【００７７】
ここで、本実施形態では、入力部４５１が電力設備のＩＤから位置の情報を検出して算出部４５２に出力したが、他の構成例として、入力部４５１が電力設備のＩＤを算出部４５２に出力し、算出部４５２が入力された電力設備のＩＤについて電力設備情報に基づいて当該電力設備の位置の情報を検出してもよい。
【００７８】
本実施形態に係る設備状態解析装置４１１では、電力設備の位置を特定する情報は、当該電力設備のＩＤである。入力部４５１は、電力設備のＩＤと位置との対応情報に基づいて、電力設備のＩＤに対応する位置の情報を取得する。
本実施形態に係る設備状態解析装置４１１を備える電力設備管理システム５では、電力設備のＩＤに基づいて当該電力設備の位置を特定することが可能である。
【００７９】
（第６実施形態）
図１６は、設備状態解析装置６５１を備える電力設備管理システム６の構成を示した図である。
電力設備管理システム６は、サーバ装置６１１と、ネットワーク６１２と、基地局装置６１３と、端末装置６２１と、端末装置６２２を備える。
サーバ装置６１１と、基地局装置６１３と、端末装置６２１は、ネットワーク６１２を介して接続されている。本実施形態では、ネットワーク６１２は有線のネットワークである。
基地局装置６１３と端末装置６２２とは、互いに無線により通信する。
各端末装置６２１、６２２は、表示部６８１、６８２を備える。各端末装置６２１、６２２は、例えば、携帯電話端末あるいはタブレット端末などのモバイル端末の装置であってもよい。
【００８０】
サーバ装置６１１は、設備状態解析装置６５１と、通信部６５２を備える。
設備状態解析装置６５１は、例えば、図１、図１１、図１２、図１３または図１５のいずれかに示されるものと同じ構成を有する。
サーバ装置６１１は、通信部６５２によりネットワーク６１２を介して端末装置６２１との間で通信する。
サーバ装置６１１は、通信部６５２によりネットワーク６１２および基地局装置６１３を介して端末装置６２２との間で通信する。
【００８１】
サーバ装置６１１では、各端末装置６２１、６２２から送信される情報を通信部６５２により受信して、当該情報を設備状態解析装置６５１の入力部に入力させることが可能である。この情報として、例えば、各端末装置６２１、６２２においてユーザまたは他の装置から入力された電力設備に関する情報が用いられてもよい。
サーバ装置６１１では、設備状態解析装置６５１から出力される情報を、通信部６５２により各端末装置６２１、６２２に対して送信することが可能である。この情報として、例えば、設備状態解析装置６５１において生成された表示情報が用いられてもよい。各端末装置６２１、６２２は、サーバ装置６１１から受信された表示情報を表示部６８１、６８２により表示する。
【００８２】
本実施形態に係る設備状態解析装置６５１では、表示部は、端末装置６２１、６２２の表示部６８１、６８２である。
本実施形態に係る設備状態解析装置６５１を備える電力設備管理システム６では、サーバ装置６１１および端末装置６２１、６２２を含むクラウドシステムの形態で、電力設備の管理を行うことができる。
【００８３】
以上、この発明の実施形態について図面を参照して詳述してきたが、具体的な構成はこの実施形態に限られるものではなく、この発明の要旨を逸脱しない範囲の設計等も含まれる。
例えば、以上に示した第２実施形態〜第６実施形態のうちの２つ以上の実施形態を組み合わせた構成が実施されてもよい。
【００８４】
また、電力設備の種別としては、様々なものが用いられてもよく、例えば、変圧器、開閉器（例えば、高圧開閉器）、遠方制御器、断路器（ジスコン）、高圧碍子、低圧碍子、地中線用防護菅、計器類、ブレーカー、鉄筋、コンクリート柱などが用いられてもよい。
また、電力設備が故障する原因となる環境としては、様々なものであってもよく、例えば、塩（例えば、海の塩）、雨、風、雪、雷、気温、排気ガス、温泉ガス（例えば、硫黄）、電車沿いの鉄粉、電蝕、振動などであってもよい。
具体例としては、塩害により金属が錆びて故障する場合、あるいは、風により金属が疲労して故障する場合がある。
【００８５】
また、電力設備の故障としては、例えば、電力設備の全体の故障であってもよく、または、電力設備の所定の一部の箇所（部位）の故障であってもよい。電力設備の一部の箇所の故障が判定される場合には、一例として、故障するまでの期間について個体差（ばらつき）が小さい箇所の故障が判定されると、個体差による誤差を小さくすることが可能である。
また、電力設備の一部の箇所の故障が判定される場合には、例えば、当該電力設備に本来備えられている一部の箇所の故障が判定されてもよく、または、当該電力設備に対して故障判定用に意図的に付加された部位の故障が判定されてもよい。一例として、錆の度合いを確認するための部位（錆ゲージ）が電力設備に付加されて、当該部位の錆の度合いに基づいて故障が判定されてもよい。
【００８６】
なお、以上に説明した設備状態解析装置を実現するためのプログラムを、コンピュータ読み取り可能な記憶媒体（記録媒体）に記憶（記録）し、そのプログラムをコンピュータシステムに読み込ませて実行するようにしてもよい。記憶媒体は、一例として、非一時的記憶媒体である。
【００８７】
一例として、入力部が、屋外に設置された電力設備の状態、および位置を特定する情報の入力を受け付けるステップと、算出部が、前記入力部に対して入力された状態および位置を特定する情報と、地図上の予め定められた区画の情報とに基づいて統計処理を行うことにより、前記区画内の電力設備の平均故障年数を算出するステップと、表示制御部が、前記算出部により算出された平均故障年数を地図に重畳させて表示部に表示させるステップと、をコンピュータに実行させるためのプログラムを実施してもよい。また、このようなプログラムを記憶した記憶媒体を実施してもよい。
【００８８】
なお、ここでいう「コンピュータシステム」とは、ＯＳ（Operating System）や周辺機器等のハードウェアを含むものとする。
また、「コンピュータ読み取り可能な記憶媒体」とは、フレキシブルディスク、光磁気ディスク、ＲＯＭ（Read Only Memory）、ＣＤ（Compact Disc）−ＲＯＭ等の可搬媒体、コンピュータシステムに内蔵されるハードディスク等の記憶装置のことをいう。さらに「コンピュータ読み取り可能な記憶媒体」とは、インターネット等のネットワークや電話回線等の通信回線を介してプログラムが送信された場合のサーバやクライアントとなるコンピュータシステム内部の揮発性メモリ（ＲＡＭ：Random Access Memory）のように、一定時間プログラムを保持しているものも含むものとする。
【００８９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００９０】
また、上記プログラムは、前述した機能の一部を実現するためのものであってもよい。さらに、前述した機能をコンピュータシステムにすでに記憶されているプログラムとの組み合わせで実現できるもの、いわゆる差分ファイル（差分プログラム）であってもよい。
【００９１】
なお、ＣＰＵ（Central Processing Unit）等のプロセッサと、プロセッサが実行するプログラムを格納するメモリを備えて制御を行う構成に代えて、ＬＳＩ（Large Scale Integration）あるいはＡＳＩＣ（Application Specific Integrated Circuit）等のハードウェアにより制御を行う構成が用いられてもよい。
【００９２】
以上では、電力設備について説明したが、電力設備ばかりでなく、ガス、水道、通信等の設備に適用してもよく、同様な効果を得ることができる。
【符号の説明】
【００９３】
１〜６…電力設備管理システム、１１、１１１、２１１、３１１、４１１、６５１…設備状態解析装置、１２、１１２、２１２、３１２、４１２…電力設備情報記憶部、１３、１１３、２１３、３１３、４１３…地図情報記憶部、２１、１２１、２２１、３２１、４２１、６８１、６８２…表示部、５１、２５１、３５１、４５１…入力部、５２、２５２、３５２、４５２…算出部、５３、２５３、３５３、４５３…表示制御部、１３１…画像処理部、１３２…画像関連情報記憶部、１７１…画像取得部、１８１…画像解析部、２２２…アラート部、２５４…残寿命算出部、３５４…区画生成部、６１１…サーバ装置、６１２…ネットワーク、６１３…基地局装置、６２１、６２２…端末装置、６５２…通信部、１０１１〜１０１３、１０３１〜１０３４…直線、２０１１…画面、２０５１…区画、２０６１…電力設備、２１５３…分割領域、２２６１…海岸からの距離を示す線、３０５１…カーソル、３０６１…ＯＫボタン、３０６２…キャンセルボタン、Ａ１、Ａ１１、Ａ２１…情報
【図１】
0006044739.tif 000002
【図２】
0006044739.tif 000003
【図３】
0006044739.tif 000004
【図４】
0006044739.tif 000005
【図５】
0006044739.tif 000006
【図６】
0006044739.tif 000007
【図７】
0006044739.tif 000008
【図８】
0006044739.tif 000009
【図９】
0006044739.tif 000010
【図１０】
0006044739.tif 000011
【図１１】
0006044739.tif 000012
【図１２】
0006044739.tif 000013
【図１３】
0006044739.tif 000014
【図１４】
0006044739.tif 000015
【図１５】
0006044739.tif 000016
【図１６】
0006044739.tif 000017